(57)【特許請求の範囲】
【請求項１】
放送番組を識別する番組識別子と、番組の放送開始時刻と、を対応して表すテーブルを記憶する記憶部と、
放送信号から取得される番組ガイド情報および前記番組識別子に基づいて、前記放送開始時刻の繰り上げの有無を検出する検出部と、
前記繰り上げが検出されたときに、前記繰り上げられた放送開始時刻に前記番組の録画を開始する録画部と、
前記繰り上げ前の放送開始時刻に前記録画された番組を再生する再生部と、
を具備することを特徴とする放送受信装置。
【請求項２】
前記番組ガイド情報に基づいて、前記放送開始時刻の繰り下げの有無を検出する第２の検出部と、
前記繰り下げ前の放送開始時刻に放送されている番組を再生する第２の再生部と、
前記繰り下げが検出されたときに、前記繰り下げられた放送開始時刻に前記番組のチャンネルを変更する変更部と、
をさらに具備することを特徴とする請求項１記載の放送受信装置。
【請求項３】
前記テーブルが番組の放送終了時刻をさらに表し、
前記再生部が、前記放送終了時刻に、前記番組の再生を終了する、
ことを特徴とする請求項１または２に記載の放送受信装置。
【請求項４】
情報を入力する入力部と、
前記情報の入力に基づいて、前記再生終了部での再生の終了を停止する
ことを特徴とする請求項１乃至３のいずれか1項に記載の放送受信装置。
【請求項５】
前記再生される番組の映像を表示する表示部
をさらに具備することを特徴とする請求項１乃至４のいずれか1項に記載の放送受信装置。
【請求項６】
放送番組を識別する番組識別子と、番組の放送開始時刻と、を対応して表すテーブルを記憶するステップと、
放送信号から取得される番組ガイド情報および前記番組識別子に基づいて、前記放送開始時刻の繰り上げの有無を検出するステップと、
前記繰り上げが検出されたときに、前記繰り上げられた放送開始時刻に前記番組の録画を開始するステップと、
前記繰り上げ前の放送開始時刻に前記録画された番組を再生するステップと、
を具備することを特徴とする放送受信方法。
【発明の詳細な説明】
【技術分野】
【０００１】
本発明は、放送を受信する放送受信装置および放送受信方法に関する。
【背景技術】
【０００２】
放送を受信し、番組を視聴する放送受信装置が用いられている。ここで、予約された番組の番組開始時刻が変更された場合、予約された処理の実行を開始する時刻を変更する情報処理装置に関する技術が公開されている（特許文献１参照）。
【特許文献１】特開２００５−６５０５２号公報
【発明の開示】
【発明が解決しようとする課題】
【０００３】
ところで、所定時刻に番組の再生を開始することで、利用者に時刻の到来を知らせることがある（オンタイマ）。このとき、番組の開始時刻が繰り上げられると、利用者は再生の開示時に所望の番組を視聴できなくなる。
本発明は、番組の開始時刻が繰り上げられた場合でも、所定時刻に所望の番組を再生可能な放送受信装置および放送受信方法を提供することを目的とする。
【課題を解決するための手段】
【０００４】
本発明の一態様に係る放送受信装置は、放送番組を識別する番組識別子と、番組の放送開始時刻と、を対応して表すテーブルを記憶する記憶部と、放送信号から取得される番組ガイド情報および前記番組識別子に基づいて、前記放送開始時刻の繰り上げの有無を検出する検出部と、前記繰り上げが検出されたときに、前記繰り上げられた放送開始時刻に前記番組の録画を開始する録画部と、前記繰り上げ前の放送開始時刻に前記録画された番組を再生する再生部と、を具備することを特徴とする。
【０００５】
本発明の一態様に係る放送受信方法は、放送番組を識別する番組識別子と、番組の放送開始時刻と、を対応して表すテーブルを記憶するステップと、放送信号から取得される番組ガイド情報および前記番組識別子に基づいて、前記放送開始時刻の繰り上げの有無を検出するステップと、前記繰り上げが検出されたときに、前記繰り上げられた放送開始時刻に前記番組の録画を開始するステップと、前記繰り上げ前の放送開始時刻に前記録画された番組を再生するステップと、を具備することを特徴とする。
【発明の効果】
【０００６】
本発明によれば、番組の開始時刻が繰り上げられた場合でも、所定時刻に所望の番組を再生可能な放送受信装置および放送受信方法を提供できる。
【発明を実施するための最良の形態】
【０００７】
以下、図面を参照して、本発明の実施の形態を詳細に説明する。
図１は、本発明の一実施形態に係る放送受信装置１００を表すブロック図である。
放送受信装置１００は、アンテナ１０１、チューナ・復調部１０２、デスクランブラ１０３、多重分離部（ＤＥＭＵＸ）１０４、映像・音声デコーダ１０５、モニタ１０６、スピーカ１０７、ＥＰＧ処理部１０８、録画処理部１０９、制御部１１１、無線受信部１１２、キー入力部１１３、タイマ１１４、記憶部１２０を有する。
【０００８】
アンテナ１０１は、放送局から送信される放送信号を受信する。
チューナ・復調部１０２は、アンテナ１０１で受信された放送信号から所望のチャンネルを選局し、復調して、トランスポートストリーム（以下、ＴＳと記す）を生成する。生成されたＴＳはデスクランブラ１０３に出力される。このＴＳは、スクランブル化放送信号、ＳＩ／ＰＳＩを含む多重化された信号である。スクランブル化放送信号は、例えば、ＭＰＥＧ−２の放送信号がスクランブル化されたものである。
【０００９】
ＳＩ／ＰＳＩは、番組配列情報である。ＳＩは、ＳＤＴ（Service Definition Table）やＥＩＴ（Event Information Table）等を含む。ＳＤＴは、サービス（編成チャンネル）の詳細情報を記述する。ＥＩＴは、サービス内の番組の詳細情報を記述する。ＥＰＧ（Electronic Program Guide：電子番組ガイド）は主にＥＩＴを用いて作成される。ＰＳＩは、多重された複数の番組の構成等を記述したものであり、ＰＡＴ（Program Association Table）、ＰＭＴ（Program Map Table）等を含む。
【００１０】
デスクランブラ１０３は、チューナ・復調部１０２から入力されたＴＳをデスクランブルして多重分離部１０４へ出力する。即ち、ＴＳ中のスクランブル化放送信号がデスクランブルされて、放送信号が生成される。
【００１１】
多重分離部１０４は、デスクランブラ１０３から入力されたＴＳから放送信号、ＳＩ／ＰＳＩデータ等を分離する。また、多重分離部１０４は、分離した放送信号を映像・音声デコーダ１０５へ出力する。
【００１２】
映像・音声デコーダ１０５は、多重分離部１０４から入力された放送信号をデコードして、モニタ１０６、スピーカ１０７へと出力する。
モニタ１０６は、ＣＲＴ、液晶表示装置等の表示装置である。スピーカ１０７は、音声出力装置である。
【００１３】
ＥＰＧ処理部１０８は、多重分離部１０４で分離されたＳＩデータからＥＰＧ（Electronic Program Guide：電子番組ガイド）情報を構成し、さらにＥＰＧの画像信号を生成する。この画像信号によってモニタ１０６にＥＰＧが表示される。利用者はＥＰＧを用いて番組を確認、予約できる。
【００１４】
録画処理部１０９は、多重分離部１０４から出力される放送信号を用いて、放送を録画し、再生する。この録画の予約にＥＰＧを利用できる。また、後述のように、録画処理部１０９は、オンタイマを予約した番組の放送時刻が繰り上げられたときに用いられる。録画処理部１０９は、複数の録画機器（例えば、ＶＴＲ（ビデオテープレコード）、ＨＤ（ハードディスク）、ＤＶＤ（Digital Versatile Disk））を有し、録画、再生時に選択できる。
【００１５】
制御部１１１は、ＣＰＵ（Central Processing Unit：中央演算装置）から構成され、放送受信装置１００全体を制御する。制御部１１１は以下の処理をする。
【００１６】
（１）オンタイマ予約の設定
制御部１１１は、オンタイマ予約を設定する。即ち、オンタイマ予約のための各種画面の表示、リモコン１３１等からの入力等を制御する。即ち、オンタイマ予約のための情報が入力される。
【００１７】
（２）予約テーブルＴの生成
制御部１１１は、オンタイマ予約のための情報を纏めた予約テーブルＴを生成し、ＮＶＲＡＭ１２３に記憶させる。
【００１８】
図２は、予約テーブルＴの一例を表す模式図である。番組識別子、チャンネル、放送周期、音量、連動機能、当初放送時刻、録画機器、変更フラグ、変更放送時刻が対応して表される。これらのうち番組識別子、チャンネル、放送周期は、ＥＰＧから取得できる。
【００１９】
「番組識別子」は、オンタイマ動作時に再生する放送番組（予約番組）を識別する識別子である。番組識別子として、例えば、ＥＩＴに含まれるイベントＩＤを用いることができる。また、番組識別子として、チャンネル、番組名、放送開始日時、放送終了日時の情報の組み合わせを用いることができる。ＥＩＴ上で番組が特定可能であれば、適宜な番組識別子を利用可能である。
【００２０】
「チャンネル」は、予約番組のチャンネルを表す。
「放送周期」は、その予約番組が放送される周期を表す。例えば、「毎日」、「月〜金」、「毎週」を選択できる。
「音量」は、オンタイマ動作時での再生音声の大きさを表す。
【００２１】
「連動機能」は、連動機能（放送時刻の変動に連動する機能）の使用の有無を表す。この欄が「不使用」の場合、当初の放送時刻に基づいてオンタイマ処理がなされる。即ち、放送時刻の変更に関わりなく、当初の放送開始時刻、チャンネルで放送が再生される。一方、この欄が「使用」の場合、放送時刻の変動に対応するオンタイマ処理（例えば、放送時刻の繰り上げに対応する録画）がなされる。その結果、放送時刻が変更された場合に、利用者が予約番組を視聴できる可能性が向上する。
【００２２】
「当初放送時刻」は、オンタイマ予約時での番組の放送開始時刻、および放送終了時刻を表す。
【００２３】
「録画機器」は、録画処理部１０９中の複数の録画機器のいずれを録画、再生に用いるかを表す。
【００２４】
「変更フラグ」は、放送時刻の変更の有無、変更時での放送時刻の繰り上げ、繰り下げを区別するための情報である。例えば、「未変更」、「繰り上げ」、「繰り下げ」によって、これらを区別できる。予約テーブルＴの生成時または予約テーブルＴへの予約番組の追加時には、この欄は「未変更」とされる。
【００２５】
「変更放送時刻」は、放送時刻が変更されたときの番組の放送開始時刻、および放送終了時刻を表す。約テーブルＴの生成時または予約テーブルＴへの予約番組の追加時には、この欄は空欄（「−」）となっている。
【００２６】
（３）予約番組の放送時刻変更の検出
制御部１１１は、予約番組の放送時刻の変更を検出する。即ち、制御部１１１は、予約番組の放送時刻の変更の有無を確認する。例えば、次のようにして、予約番組の放送時刻の変更が検出される。即ち、制御部１１１は、番組識別子を用いて放送信号中のＥＩＴを検索し、ＥＩＴから予約番組の情報を取得する。予約番組の情報と、予約テーブルＴの当初放送時刻を比較し、放送時刻が変更されたか否かを監視する。この確認は、例えば、定期的になされる。
【００２７】
（４）予約テーブルＴの書き換え
予約番組の放送時刻の変更が検出された場合、制御部１１１は、予約テーブルＴを書き換える。即ち、予約番組について、変更フラグ、変更放送時刻の欄が書き換えられる。放送時刻の繰り上げ、繰り下げに応じて、「変更フラグ」の欄が「繰り上げ」、「繰り下げ」と書き換えられる。また、変更された開始時刻、終了時刻が書き込まれる。
【００２８】
（５）オンタイマ処理
制御部１１１は、オンタイマ処理をする。即ち、予約テーブルＴに従い、放送受信装置１００を起動し、予約番組を再生する。この処理は、予約番組の放送時刻の変更、繰り上げ、繰り下げに対応する。なお、この詳細は後述する。
【００２９】
無線受信部１１２は、リモコン１３１から無線（例えば、赤外線）で送信されるユーザ操作情報を受信する。リモコン１３１は、「カーソル移動」キー、「決定」キー、「戻り」キーを有し、ユーザ操作情報の入力が可能である。「カーソル移動」キーを操作することで、モニタ１０６の画面上に表示されるカーソルを移動できる。モニタ１０６に表示されるメニュー上でカーソルを移動して、メニュー上の項目が選択される。「決定」キーを押すことで、この項目の指定が決定され、次のメニューへと移行する。「戻り」キーを押すことで、前のメニューへと戻ることができる。
【００３０】
キー入力部１１３は、ユーザ操作情報を入力する入力装置、例えば、キーボードである。キー入力部１１３には、「カーソル移動」キー、「決定」キー、「戻り」キーを有し、リモコン１３１と同様に、ユーザ操作情報の入力が可能である。
タイマ１１４は、現在の時刻を表し、後述のオンタイマ処理に用いられる。
【００３１】
記憶部１２０は、ＲＯＭ（Read Only Memory）１２１、ＲＡＭ（Random Access Memory）１２２、ＮＶＲＡＭ（Non Volatile RAM：不揮発性メモリ）１２３で構成される。ＲＯＭ１２１は、制御部１１１が動作するためのプログラム等を記憶する。ＲＡＭ１２２は、制御部１１１の動作時に利用され、プログラム、データ等が書き込まれる。ＮＶＲＡＭ１２３は、予約テーブルＴを記憶する。
【００３２】
（放送受信装置１００の動作）
以下、放送受信装置１００の動作手順を説明する。
図３は、放送受信装置１００の動作手順の一例を示すフロー図である。図４〜図７は、オンタイマ予約設定時にモニタ１０６に表示されるメニューを表す図である。
【００３３】
（１）オンタイマ予約の設定（ステップＳ１１）
利用者がオンタイマ予約を設定する。例えば、モニタ１０６に電子番組表を表示させ、電子番組表から番組を指定することで、その番組をオンタイマ予約の対象とすることができる。
【００３４】
図４は、電子番組表から番組を指定したときに表示されるメニュー（番組指定予約／選局用のメニュー）の一例を表す図である。指定された番組のチャンネル（地デジ０８１）、タイトル（おはよう日本）、放送開始日時および放送終了日時（２００７／９／１７、ＡＭ５：５８〜ＡＭ６：５８）が画面に表される。
【００３５】
ここで、リモコン１３１の「カーソル移動」キーを操作して「オンタイマ予約」のボタンを選択し、リモコン１３１の「決定」キーを押す。この結果、選択された番組がオンタイマ予約の対象となり、オンタイマ予約用のメニューに画面が移行する。
【００３６】
図５は、オンタイマ予約用のメニューの一例を表す図である。ここでは、選択された番組のチャンネル、放送開始時刻、放送終了時刻、放送周期が表される。即ち、選択した番組の情報が電子番組表から抽出され、メニューに自動的に挿入される。なお、番組の情報をリモコン１３１等で入力することも可能である。
【００３７】
ここで、リモコン１３１の「カーソル移動」キーを操作して音量を選択し、リモコン１３１の「決定」キーを押す。この結果、オンタイマ動作時の音量が決定され、連動機能設定用のメニューに画面が移行する。
【００３８】
図６は、連動機能設定用のメニューの一例を表す図である。このメニューによって、連動機能の使用の有無を選択できる。この連動機能は、予約テーブルＴで説明したように、予約番組の放送時刻の変動に連動する機能である。連動機能を使用することで、放送時刻が変更された場合でも、利用者が予約番組を視聴可能となる。
【００３９】
リモコン１３１の「カーソル移動」キーを操作して、連動機能の「不使用」を選択し、リモコン１３１の「決定」キーを押すと、オンタイマ予約が終了する。これに対して、連動機能の「使用」を選択し、リモコン１３１の「決定」キーを押す。この結果、連動機能の使用が決定され、録画機器選択用のメニューに画面が移行する。以下、連動機能を使用するとして、説明する。
【００４０】
図７は録画機器選択用のメニューの一例を表す図である。リモコン１３１を操作して、録画機器を選択し、リモコン１３１の「決定」キーを押す。この結果、録画機器が指定され、オンタイマ予約のメニューが終了する。
【００４１】
（２）予約テーブルＴの生成（ステップＳ１２）
オンタイマ予約の設定に基づいて、予約テーブルＴが作成されるか、または既存の予約テーブルＴに予約番組が追加される（図２参照）。予約テーブルＴには、番組識別子、チャンネル、放送周期、音量、連動機能、当初放送時刻、録画機器、変更フラグ、変更放送時刻が対応して表される。このとき、新たな予約番組について、予約テーブルＴの変更フラグの欄は「未変更」とされ、変更放送時刻の欄は空欄とされる。
【００４２】
（３）予約番組の放送時刻変更の検出（ステップＳ１３）
制御部１１１は、予約番組の放送時刻の変更を検出する。即ち、制御部１１１は、ＥＩＴから予約番組の情報を取得し、その放送時刻が変更されたか否かを監視する。この確認は、例えば、定期的になされる。
【００４３】
（４）予約テーブルＴの書き換え（ステップＳ１４、Ｓ１５）
予約番組の放送時刻の変更が検出された場合、制御部１１１は、予約テーブルＴを書き換える。即ち、変更フラグ、変更放送時刻の欄が書き換えられる。
【００４４】
（５）オンタイマ処理（ステップＳ１６、Ｓ１７、Ｓ２１〜Ｓ２４、Ｓ３１〜Ｓ３５、Ｓ４１〜Ｓ４７）
予約テーブルＴに基づいて、オンタイマ処理がなされる。制御部１１１は、「変更フラグ」に応じて、異なる処理をする（ステップＳ１６、Ｓ１７）。即ち、放送時刻が未変更、繰り上げ、繰り下げの何れであるかに応じて、処理内容が異なる。
【００４５】
ａ．放送時刻が未変更のとき（ステップＳ２１〜Ｓ２４）
放送時刻が未変更のときには、放送開始時刻が到来すると、設定されたチャンネル、音量で番組の再生が開始される（ステップＳ２１、Ｓ２２）。そして、放送終了時刻が到来すると、番組の再生が終了する（ステップＳ２３、Ｓ２４）。
【００４６】
ｂ．放送時刻が繰り上げされたとき（ステップＳ３１〜Ｓ３５）
放送時刻が繰り上がった場合、変更された放送開始時刻が到来すると、設定した録画機器での予約番組の録画が開始される（ステップＳ３１、Ｓ３２）。この時点では、番組は再生されない。この録画は予約番組の終了まで続けられる。
【００４７】
また設定時刻（当初の放送開始時刻）に録画された番組の再生を開始する（ステップＳ３３、Ｓ３４）。このとき予約番組が未終了であれば、予約番組の録画と再生が同時並行的になされる（いわゆる、追っかけ再生）。録画された番組の再生が終了すると（ステップＳ３５）、放送受信装置１００は休止状態となる。即ち、録画された番組の再生のみならず、放送中の番組も再生されない。
【００４８】
なお、録画された番組の再生中に、ユーザがリモコン１３１等を操作した場合、録画された番組の再生が終わったときに、放送受信装置１００の起動状態が維持される。即ち、録画された番組の再生が終了すると、これ引き続いて放送中の番組が再生される。
【００４９】
ｃ．放送時刻が繰り下げされたとき（ステップＳ４１〜Ｓ４７）
放送時刻が繰り下がった場合、当初の放送開始時刻に放送中の番組の再生が開始される（ステップＳ４１、Ｓ４２）。このとき、設定されたチャンネル、音量が適用される。これに対して、リモコン１３１等を用いて、ユーザがチャンネル、音量を変更できる。
【００５０】
変更後の放送開始時刻が到来したとき、チャンネルが設定したチャンネルから変更されていた場合、設定したチャンネルに切り替えられる（ステップＳ４３〜Ｓ４５）。即ち、変更後の放送開始時刻には設定されたチャンネルの番組が再生される。その後、変更された放送終了時刻が到来すると、番組の再生が終了する（ステップＳ４６、Ｓ４７）。即ち、放送受信装置１００が休止状態となる。
【００５１】
なお、番組の再生中に、ユーザがリモコン１３１等を操作した場合、放送終了時刻が到来しても、放送受信装置１００の起動状態が維持される。即ち、引き続いて放送中の番組の再生が続行される。
【００５２】
以上のように、「連動機能」を使用することで、予約番組の放送時刻の変更に対応して、録画、チャンネル切換がなされる。そのため、オンタイマで放送受信装置１００を自動的に起動させたときに、利用者が予約番組を視聴可能となる。
なお、「連動機能」を不使用とすると、図３のステップＳ３１〜Ｓ３５、Ｓ４１〜Ｓ４７に対応する処理はなされず、予約番組の放送時刻の変更の有無に拘わらず、当初の放送時刻で放送の再生が開始、終了する。
【００５３】
（その他の実施形態）
本発明の実施形態は上記の実施形態に限られず拡張、変更可能であり、拡張、変更した実施形態も本発明の技術的範囲に含まれる。
【図面の簡単な説明】
【００５４】
【図１】本発明の一実施形態に係る放送受信装置を表すブロック図である。
【図２】予約テーブルＴの一例を表す模式図である。
【図３】放送受信装置１００の動作手順の一例を示すフロー図である。
【図４】オンタイマ予約設定時に表示されるメニューを表す図である。
【図５】オンタイマ予約設定時に表示されるメニューを表す図である。
【図６】オンタイマ予約設定時に表示されるメニューを表す図である。
【図７】オンタイマ予約設定時に表示されるメニューを表す図である。
【符号の説明】
【００５５】
１００…放送受信装置、１０１…アンテナ、１０２…チューナ・復調部、１０３…デスクランブラ、１０４…多重分離部、１０５…映像・音声デコーダ、１０６…モニタ、１０７…スピーカ、１０８…ＥＰＧ処理部、１０９…録画処理部、１１１…制御部、１１２…無線受信部、１１３…キー入力部、１１４…タイマ、１２０…記憶部、１３１…リモコン
【要約】
【課題】番組の開始時刻が繰り上げられた場合でも、所定時刻に所望の番組を再生可能な放送受信装置および放送受信方法を提供する。
【解決手段】放送受信装置が、放送番組を識別する番組識別子と、番組の放送開始時刻と、を対応して表すテーブルを記憶する記憶部と、放送信号から取得される番組ガイド情報および前記番組識別子に基づいて、前記放送開始時刻の繰り上げの有無を検出する検出部と、前記繰り上げが検出されたときに、前記繰り上げられた放送開始時刻に前記番組の録画を開始する録画部と、前記繰り上げ前の放送開始時刻に前記録画された番組を再生する再生部と、を具備する。
【選択図】図３【図１】
0004245646.tif 000002
【図２】
0004245646.tif 000003
【図３】
0004245646.tif 000004
【図４】
0004245646.tif 000005
【図５】
0004245646.tif 000006
【図６】
0004245646.tif 000007
【図７】
0004245646.tif 000008